(57)【要約】      （修正有）【課題】各種被管理対象物の位置等を遠隔でニアタイムで正確に把握し管理することができ、しかも管理タグの電力消費量の大幅な低減を図ることができ、管理タグの電池の容量低減による管理タグの軽量化等を図ることができる遠隔管理システムおよび遠隔管理方法を提供する。【解決手段】遠隔管理システムは、ＧＰＳ受信機、通信装置、処理装置および電源を有する管理タグを用い、これを被管理対象物に装着する。時刻ｔ1に電源をオンとし、次いでコールドスタートの状態でＧＰＳ受信機をオンとして計測を開始し、ＧＰＳ信号より最初の位置データを取得した後の時刻ｔ3にＧＰＳ受信機をオフ、通信装置をオンとして位置データを通信装置から送信し、次いで時刻ｔ5に通信装置をオフとし、次いで時刻ｔ6に電源をスリープ状態としてこのスリープ状態を時刻ｔ7まで継続し、時刻ｔ1から時刻ｔ6までの時間を１０分以内とし、この一連の動作を繰り返し行う。【選択図】図３
2020020798.tif 000002
【特許請求の範囲】
【請求項１】
被管理対象物に取り付けられる、ＧＰＳ受信機と、通信装置と、上記ＧＰＳ受信機および上記通信装置の動作を制御し、上記ＧＰＳ受信機で受信されるＧＰＳ信号より上記被管理対象物の位置データを取得し、この位置データを上記通信装置から外部に送信する処理装置と、上記ＧＰＳ受信機、上記通信装置および上記処理装置に電力を供給する電源とを有する管理タグを有し、
上記管理タグは、時刻ｔ1 に上記電源をオンとし、次いでコールドスタートの状態で上記ＧＰＳ受信機をオンとして計測を開始し、上記ＧＰＳ信号より最初の位置データを取得した後の時刻ｔ3 に上記ＧＰＳ受信機をオフとし、次いで上記時刻ｔ3 または上記時刻ｔ3 の前後の時刻ｔ4 に上記通信装置をオンとして上記位置データを上記通信装置から送信し、次いで時刻ｔ5 に上記通信装置をオフとし、次いで時刻ｔ6 に上記電源をスリープ状態としてこのスリープ状態を時刻ｔ7 まで継続し、上記時刻ｔ1 から上記時刻ｔ6 までの時間を１０分以内とし、上記時刻ｔ1 から上記時刻ｔ7 までの動作を繰り返し行うように構成されている遠隔管理システム。
【請求項２】
上記管理タグは、上記時刻ｔ1 に上記電源をオンとし、上記時刻ｔ1 から１０ミリ秒以内の時刻ｔ2 に上記ＧＰＳ受信機をオンとして計測を開始し、上記ＧＰＳ信号より最初の位置データを取得した直後の時刻ｔ3 に上記ＧＰＳ受信機をオフとし、上記時刻ｔ3 または上記時刻ｔ3 の前後の時刻ｔ4 に上記通信装置をオンとして上記位置データを上記通信装置から送信し、上記時刻ｔ3 または上記時刻ｔ4 から５秒以内の時刻ｔ5 に上記通信装置をオフとし、上記時刻ｔ5 から１秒以内の時刻ｔ6 に上記電源をスリープ状態としてこのスリープ状態を時刻ｔ7 まで１秒以上継続し、上記時刻ｔ1 から上記時刻ｔ6 までの時間を５分以内とし、上記時刻ｔ1 から上記時刻ｔ7 までの動作を繰り返し行うように構成されている請求項１記載の遠隔管理システム。
【請求項３】
上記管理タグは、上記時刻ｔ1 から上記時刻ｔ2 までの時間は１０マイクロ秒以内、上記時刻ｔ2 から上記時刻ｔ3 までの時間は５分以内、上記時刻ｔ3 または上記時刻ｔ4 から上記時刻ｔ5 までの時間は４秒以内、上記時刻ｔ1 から上記時刻ｔ6 までの時間は１分以内である請求項２記載の遠隔管理システム。
【請求項４】
上記電源は上記管理タグに取り付けられた電池である請求項１〜３のいずれか一項記載の遠隔管理システム。
【請求項５】
上記管理タグの上記通信装置から送信される位置データを受信する中継機およびこの中継機から転送される位置データを受信し、上記被管理対象物の管理を行う管理センターをさらに有する請求項１〜４のいずれか一項記載の遠隔管理システム。
【請求項６】
上記管理センターは、上記中継機から無線または有線の電気通信回線を経由して転送される位置データを受信する請求項５記載の遠隔管理システム。
【請求項７】
上記管理タグの上記通信装置から送信される位置データを直接受信し、上記被管理対象物の管理を行う管理センターをさらに有する請求項１〜４のいずれか一項記載の遠隔管理システム。
【請求項８】
上記被管理対象物は家畜である請求項１〜７のいずれか一項記載の遠隔管理システム。
【請求項９】
被管理対象物に、ＧＰＳ受信機と、通信装置と、上記ＧＰＳ受信機および上記通信装置の動作を制御し、上記ＧＰＳ受信機で受信されるＧＰＳ信号より上記被管理対象物の位置データを取得し、この位置データを上記通信装置から外部に送信する処理装置と、上記ＧＰＳ受信機、上記通信装置および上記処理装置に電力を供給する電源とを有する管理タグを装着した状態で、時刻ｔ1 に上記電源をオンとするステップと、
コールドスタートの状態で上記ＧＰＳ受信機をオンとして計測を開始し、上記ＧＰＳ信号より最初の位置データを取得した後の時刻ｔ3 に上記ＧＰＳ受信機をオフとするステップと、
上記時刻ｔ3 または上記時刻ｔ3 の前後の時刻ｔ4 に上記通信装置をオンとして上記位置データを上記通信装置から送信し、時刻ｔ5 に上記通信装置をオフとするステップと、
時刻ｔ6 に上記電源をスリープ状態としてこのスリープ状態を時刻ｔ7 まで継続するステップとを有し、
上記時刻ｔ1 から上記時刻ｔ6 までの時間を１０分以内とし、上記時刻ｔ1 から上記時刻ｔ7 までの動作を繰り返し行う遠隔管理方法。
【請求項１０】
被管理対象物に取り付けられる、ＧＰＳ受信機と、通信装置と、上記ＧＰＳ受信機および上記通信装置の動作を制御し、上記ＧＰＳ受信機で受信されるＧＰＳ信号より上記被管理対象物の位置データを取得し、この位置データを上記通信装置から外部に送信する処理装置と、上記ＧＰＳ受信機、上記通信装置および上記処理装置に電力を供給する電源とを有する管理タグであって、
時刻ｔ1 に上記電源をオンとし、次いでコールドスタートの状態で上記ＧＰＳ受信機をオンとして計測を開始し、上記ＧＰＳ信号より最初の位置データを取得した後の時刻ｔ3 に上記ＧＰＳ受信機をオフとし、次いで上記時刻ｔ3 または上記時刻ｔ3 の前後の時刻ｔ4 に上記通信装置をオンとして上記位置データを上記通信装置から送信し、次いで時刻ｔ5 に上記通信装置をオフとし、次いで時刻ｔ6 に上記電源をスリープ状態としてこのスリープ状態を時刻ｔ7 まで継続し、上記時刻ｔ1 から上記時刻ｔ6 までの時間を１０分以内とし、上記時刻ｔ1 から上記時刻ｔ7 までの動作を繰り返し行うように構成されていることを特徴とする管理タグ。
【発明の詳細な説明】
【技術分野】
【０００１】
この発明は、遠隔管理システム、遠隔管理方法および管理タグに関し、例えば、牛等の家畜やその他の各種物品の位置、動き等を離れた位置から把握し管理するのに適用して好適なものである。
【背景技術】
【０００２】
牛等の家畜を放牧地に放牧する場合、放牧された家畜から離れた位置からリアルタイムで家畜の位置を把握するシステムとして、放牧家畜遠隔管理システムが知られている（特許文献１参照。）。この放牧家畜遠隔管理システムでは、例えば、牛に首輪を取り付けて放牧地に放牧する。この首輪は、ＧＰＳ衛星からの電波を受信し、現在位置等のデータを出力するＧＰＳ受信機、このＧＰＳ受信機からのデータから所望のデータを抽出し、この抽出したデータに予め設定されている牛の識別コードを付加した移動位置信号（牛位置データ）にして送出する位置データ生成部、この位置データ生成部からの牛位置データを送信する無線機およびこれらに電力を供給する電源部を備えている。電源部は、ＧＰＳ受信機に対しては、１０分から２０分毎に一度電力を供給する。従って、首輪の無線機から、１０分から２０分毎に牛位置データが送信される。監視センター側では、ＧＰＳ衛星からの電波に基づいて自らの位置を求めるとともに牛位置データを受信し、監視センターの画像処理装置が牛位置データの受信時刻に一致する自らの位置との差に基づいて、画面上における放牧地の地図の各画像の位置を移動させて、牛位置データに基づく点画像を地図上に表示する。
【先行技術文献】
【特許文献】
【０００３】
【特許文献１】特開平１０−１６０８２０号公報
【発明の概要】
【発明が解決しようとする課題】
【０００４】
しかしながら、特許文献１に記載された放牧家畜遠隔管理システムでは、ＧＰＳ受信機に対しては１０分から２０分毎に一度電力を供給するようにしているためＧＰＳ受信機の消費電力の低減を図ることができるものの、位置データ生成部および無線機には本体の電源がオンになっている間常時、電力を供給しているため、電源部の電池はかなり容量の大きいものが必要と考えられ、必然的に電源部の重量はかなり大きくならざるを得ず、従って首輪の重量はかなり大きくなると考えられる。このため、牛に大きな負担を掛けることになり、無用のストレスを与えるおそれが高い。しかも、このような大容量の電池を用いたとしても、ＧＰＳ受信機、位置データ生成部および無線機全体の電力消費量が大きいため、電池を頻繁に交換しなければならず、交換の手間が掛かると考えられる。
【０００５】
そこで、この発明が解決しようとする課題は、放牧地に放牧される牛等の家畜、より一般的には各種の被管理対象物の位置や動き等を遠隔でニアタイムで正確に把握し管理することができ、しかも被管理対象物に装着される管理タグの電力消費量の大幅な低減を図ることができ、それによって管理タグに取り付けられる電池の容量の低減による管理タグの軽量化および電池の交換頻度の大幅な減少を図ることができ、被管理対象物が牛等の家畜のような生物である場合、それに対して無用のストレスを与えるおそれがない遠隔管理システムおよび遠隔管理方法ならびにそれらに用いられる管理タグを提供することである。
【課題を解決するための手段】
【０００６】
上記課題を解決するために、この発明は、
被管理対象物に取り付けられる、ＧＰＳ受信機と、通信装置と、上記ＧＰＳ受信機および上記通信装置の動作を制御し、上記ＧＰＳ受信機で受信されるＧＰＳ信号より上記被管理対象物の位置データを取得し、この位置データを上記通信装置から外部に送信する処理装置と、上記ＧＰＳ受信機、上記通信装置および上記処理装置に電力を供給する電源とを有する管理タグを有し、
上記管理タグは、時刻ｔ1 に上記電源をオンとし、次いで上記ＧＰＳ受信機をオンとして計測を開始し、上記ＧＰＳ信号より最初の位置データを取得した後の時刻ｔ3 に上記ＧＰＳ受信機をオフとし、次いで上記時刻ｔ3 または上記時刻ｔ3 の前後の時刻ｔ4 に上記通信装置をオンとして上記位置データを上記通信装置から送信し、次いで時刻ｔ5 に上記通信装置をオフとし、次いで時刻ｔ6 に上記電源をスリープ状態としてこのスリープ状態を時刻ｔ7 まで継続し、上記時刻ｔ1 から上記時刻ｔ6 までの時間を１０分以内とし、上記時刻ｔ1 から上記時刻ｔ7 までの動作を繰り返し行うように構成されている遠隔管理システムである。
【０００７】
この遠隔管理システムにおいては、ＧＰＳ受信機は、コールドスタートの状態で使用される。この遠隔管理システムにおいては、管理タグの電力消費量を抑える観点より、管理タグは、好適には、時刻ｔ1 に上記電源をオンとし、上記時刻ｔ1 から１０ミリ秒以内の時刻ｔ2 に上記ＧＰＳ受信機をオンとして計測を開始し、上記ＧＰＳ信号より最初の位置データを取得した直後の時刻ｔ3 に上記ＧＰＳ受信機をオフとし、上記時刻ｔ3 または上記時刻ｔ3 の前後の時刻ｔ4 に上記通信装置をオンとして上記位置データを上記通信装置から送信し、上記時刻ｔ3 または上記時刻ｔ4 から５秒以内の時刻ｔ5 に上記通信装置をオフとし、上記時刻ｔ5 から１秒以内の時刻ｔ6 に上記電源をスリープ状態としてこのスリープ状態を時刻ｔ7 まで１秒以上継続し、上記時刻ｔ1 から上記時刻ｔ6 までの時間を５分以内とし、上記時刻ｔ1 から上記時刻ｔ7 までの動作を繰り返し行うように構成される。管理タグの電力消費量をより一層抑える観点より、時刻ｔ1 から時刻ｔ2 までの時間、時刻ｔ2 から時刻ｔ3 までの時間、時刻ｔ3 または時刻ｔ4 から時刻ｔ5 までの時間はできるだけ短くするのが望ましい。好適には、時刻ｔ1 から時刻ｔ2 までの時間は１０マイクロ秒以内、より好適には５マイクロ秒以内、時刻ｔ2 から時刻ｔ3 までの時間は５分以内、好適には３分以内、より好適には１分以内で可能な限り短くし、時刻ｔ3 または時刻ｔ4 から時刻ｔ5 までの時間は４秒以内であり、時刻ｔ1 から時刻ｔ6 までの時間は１分以内である。
【０００８】
電源は、典型的には、管理タグに取り付けられた電池であり、使用する電池は特に限定されず、必要に応じて選ばれる。電源は、無線電力通信により外部から送信される電力を利用するものであってもよい。
【０００９】
この遠隔管理システムの一つの例では、管理タグの通信装置から送信される位置データを受信する中継機およびこの中継機から転送される位置データを受信し、被管理対象物の管理を行う管理センターをさらに有する。被管理対象物の位置データは複数の中継機を経由して管理センターに受信されることもあるし、中継機から更に、インターネット等の電気通信回線（無線または有線）を経由して管理センターに受信されることもある。あるいは、被管理対象物１０の位置データは、通信装置２４から直接、管理センター５０の画像表示装置に送信されるようにしてもよい。この遠隔管理システムの他の例では、中継機を設けず、管理タグから直接、位置データを受信し、被管理対象物の管理を行う管理センターをさらに有する。管理センターには、典型的には、画像表示装置が設けられ、この画像表示装置の画面に管理エリアの画像および管理エリア内の被管理対象物の位置が表示される。中継機は、管理エリア全体で被管理対象物の遠隔管理が可能となるように、管理エリア内に一つまたは複数設置される。
【００１０】
被管理対象物は、管理エリア内で何らかの動きがあるものであれば、基本的にはどのようなものであってもよく、生物であっても非生物であってもよいし、生物と非生物とが混在してもよい。生物である被管理対象物は、例えば、家畜、家畜以外の動物、人（ヒト）等である。動物は、具体的には、例えば、牛（乳牛、肉牛を含む）、水牛、ジャワ牛、バンテーン、ヤク、ヒツジ、ヤギ、アンテロープ、シカ、ガゼル、キリン、ラクダ、アルパカ、リャマ、グアナコ、ビクーニャ、マメジカ、ネズミジカ等の脊椎動物偶蹄類（反芻動物）やウマ、ロバ等の脊椎動物奇蹄類等であるが、これに限定されるものではない。非生物である被管理対象物は、各種の物品（商品、製品等）であり、これらが段ボール等の包装箱に収納されているものも含む。被管理対象物への管理タグの取り付けは、被管理対象物の種類や状況等に応じて行うことができる。例えば、被管理対象物が家畜である場合、管理タグは、家畜の首にはめられる首輪等に取り付けられたり、耳、胴体、足首等に取り付けられる。また、商品や製品等では、管理タグはこれらに直接取り付けられることもあるし、包装箱に取り付けられることもある。
【００１１】
また、この発明は、
被管理対象物に、ＧＰＳ受信機と、通信装置と、上記ＧＰＳ受信機および上記通信装置の動作を制御し、上記ＧＰＳ受信機で受信されるＧＰＳ信号より上記被管理対象物の位置データを取得し、この位置データを上記通信装置から外部に送信する処理装置と、上記ＧＰＳ受信機、上記通信装置および上記処理装置に電力を供給する電源とを有する管理タグを装着した状態で、時刻ｔ1 に上記電源をオンとするステップと、
上記ＧＰＳ受信機をオンとして計測を開始し、上記ＧＰＳ信号より最初の位置データを取得した後の時刻ｔ3 に上記ＧＰＳ受信機をオフとするステップと、
上記時刻ｔ3 または上記時刻ｔ3 の前後の時刻ｔ4 に上記通信装置をオンとして上記位置データを上記通信装置から送信し、時刻ｔ5 に上記通信装置をオフとするステップと、
時刻ｔ6 に上記電源をスリープ状態としてこのスリープ状態を時刻ｔ7 まで継続するステップとを有し、
上記時刻ｔ1 から上記時刻ｔ6 までの時間を１０分以内とし、上記時刻ｔ1 から上記時刻ｔ7 までの動作を繰り返し行う遠隔管理方法である。
【００１２】
この遠隔管理方法においては、管理タグの電力消費量を抑える観点より、管理タグは、好適には、上記時刻ｔ1 から１０ミリ秒以内の時刻ｔ2 に上記ＧＰＳ受信機をオンとして計測を開始し、上記ＧＰＳ信号より最初の位置データを取得した直後の時刻ｔ3 に上記ＧＰＳ受信機をオフとし、上記時刻ｔ3 または上記時刻ｔ3 の前後の時刻ｔ4 に上記通信装置をオンとして上記位置データを上記通信装置から送信し、上記時刻ｔ3 または上記時刻ｔ4 から５秒以内の時刻ｔ5 に上記通信装置をオフとし、上記時刻ｔ5 から１秒以内の時刻ｔ6 に上記電源をスリープ状態としてこのスリープ状態を時刻ｔ7 まで１秒以上継続し、上記時刻ｔ1 から上記時刻ｔ6 までの時間を５分以内とし、上記時刻ｔ1 から上記時刻ｔ7 までの動作を繰り返し行う。この遠隔管理方法の発明においては、上記以外のことについては、その性質に反しない限り、上記の遠隔管理システムの発明に関連して説明したことが成立する。
【００１３】
また、この発明は、
被管理対象物に取り付けられる、ＧＰＳ受信機と、通信装置と、上記ＧＰＳ受信機および上記通信装置の動作を制御し、上記ＧＰＳ受信機で受信されるＧＰＳ信号より上記被管理対象物の位置データを取得し、この位置データを上記通信装置から外部に送信する処理装置と、上記ＧＰＳ受信機、上記通信装置および上記処理装置に電力を供給する電源とを有する管理タグであって、
時刻ｔ1 に上記電源をオンとし、次いで上記ＧＰＳ受信機をオンとして計測を開始し、上記ＧＰＳ信号より最初の位置データを取得した後の時刻ｔ3 に上記ＧＰＳ受信機をオフとし、次いで上記時刻ｔ3 または上記時刻ｔ3 の前後の時刻ｔ4 に上記通信装置をオンとして上記位置データを上記通信装置から送信し、次いで時刻ｔ5 に上記通信装置をオフとし、次いで時刻ｔ6 に上記電源をスリープ状態としてこのスリープ状態を時刻ｔ7 まで継続し、上記時刻ｔ1 から上記時刻ｔ6 までの時間を１０分以内とし、上記時刻ｔ1 から上記時刻ｔ7 までの動作を繰り返し行うように構成されていることを特徴とするものである。
【００１４】
この管理タグの発明においては、上記以外のことについては、その性質に反しない限り、上記の遠隔管理システムの発明に関連して説明したことが成立する。
【発明の効果】
【００１５】
この発明によれば、少なくとも１０分未満、例えば５分未満の時間間隔でもＧＰＳ信号を取得して被管理対象物の位置データを取得することができるため、被管理対象物の位置や動き等を遠隔でニアタイムで正確に把握し管理することができ、しかもＧＰＳ受信機、通信装置等のオン時間が極めて短くこれらの電力消費量が少ないため、被管理対象物に装着される管理タグの電力消費量の大幅な低減を図ることができ、それによって管理タグに取り付けられる電池の容量の低減による管理タグの軽量化および電池の交換頻度の大幅な減少を図ることができ、被管理対象物が牛等の家畜のような生物である場合、それに対して無用のストレスを与えるおそれがない。
【図面の簡単な説明】
【００１６】
【図１】この発明の一実施の形態による遠隔管理システムの全体構成を示す略線図である。
【図２】この発明の一実施の形態による遠隔管理システムにおいて用いられる管理タグを示す略線図である。
【図３】この発明の一実施の形態による遠隔管理システムにおける管理タグのＧＰＳ受信機、処理装置および通信装置への電力の供給方法を示す略線図である。
【図４】この発明の一実施の形態による遠隔管理システムにより放牧地に放牧された多数の牛の位置データを取得する例を示す略線図である。
【図５】この発明の一実施の形態による遠隔管理システムにより放牧地に放牧された多数の牛のうちの１頭の移動軌跡を取得する例を示す略線図である。
【発明を実施するための形態】
【００１７】
以下、発明を実施するための形態（以下、単に「実施の形態」と言う。）について説明する。
【００１８】
〈一実施の形態〉
［遠隔管理システム］
図１は一実施の形態による遠隔管理システムの全体構成を示す。
【００１９】
図１に示すように、この遠隔管理システムにおいては、被管理対象物１０に管理タグ２０が取り付けられる。被管理対象物１０は一つまたは複数あり、複数の場合はそれぞれの被管理対象物１０に一つの管理タグ２０が取り付けられる。各管理タグ２０には識別コードが付与されており、この識別コードにより管理タグ２０が取り付けられた被管理対象物１０の識別が可能になっている。被管理対象物１０は、牛等の家畜に代表される生物や各種の物品等である。被管理対象物１０に管理タグ２０を取り付ける位置や取り付け方は被管理対象物１０の種類、性状等に応じて適宜選択することができる。例えば、被管理対象物１０が牛等の家畜である場合、管理タグ２０は好適には家畜の首にはめられる首輪に取り付けられ、首輪に別体として取り付けられる場合もあるし首輪に一体に設けられる場合もある。後に詳述するが、管理タグ２０はＧＰＳ受信機、処理装置（プロセッサ）および通信装置を有し、全球測位衛星システムを構成する複数のＧＰＳ衛星３０から送られるＧＰＳ信号をＧＰＳ受信機により受信し、処理装置においてこのＧＰＳ信号より被管理対象物１０の位置データを取得し、こうして取得した位置データを通信装置により外部に送信する。こうして管理タグ２０の通信装置から送信された位置データは中継機４０により受信され、内蔵のメモリ（図示せず）に記録される。中継機４０は、管理エリア全体をカバーするように一つまたは複数設置する。そして、中継機４０のメモリに記録された位置データは、無線または有線により管理センター５０に送信され、管理センター５０に備えられた管理用の画像表示装置により受信される。そして、この画像表示装置の画面に管理エリアの画像および管理エリア内の被管理対象物１０の位置が表示されるようになっている。
【００２０】
図２は管理タグ２０の詳細を示す。図２に示すように、この管理タグ２０は、基板２１上にＧＰＳ受信機２２、処理装置２３、通信装置２４、電源を構成する電池２５、電源レギュレータ２６および電源レギュレータ２７を有する。処理装置２３のＧＮＤ端子、電源レギュレータ２６のＧＮＤ端子および電源レギュレータ２７のＧＮＤ端子は電池２５の負極と接続され、処理装置２３のＶＣＣ端子、電源レギュレータ２６のＶＣＣ端子および電源レギュレータ２７のＶＣＣ端子はスイッチ２８を介して電池２５の正極と接続されている。スイッチ２８が閉じた状態では、処理装置２３のＧＮＤ端子およびＶＣＣ端子間、電源レギュレータ２６のＧＮＤ端子およびＶＣＣ端子間、電源レギュレータ２７のＧＮＤ端子およびＶＣＣ端子間に電池２５の電圧がそれぞれ印加される。ＧＰＳ受信機２２のＧＮＤ端子およびＶＣＣ端子間には、電源レギュレータ２６により昇圧もしくは降圧および安定化された電圧が印加されるようになっている。また、通信装置２３のＧＮＤ端子およびＶＣＣ端子間には、電源レギュレータ２７により昇圧もしくは降圧および安定化された電圧が印加されるようになっている。電源レギュレータ２６および電源レギュレータ２７への電力の供給、従ってＧＰＳ受信機２２および通信装置２４への電力の供給は、処理装置２３のＣＴＲ端子から送出される制御信号により制御されるようになっている。また、電池２５に接続されたスイッチ２８のオン／オフは、ボタン等によりマニュアルで行うことができる。なお、スイッチ２８を省略し、電池２５を取り付けると同時に電源が入るようにしてもよい。この制御方法の詳細は後述する。ＧＰＳ受信機２２のデータ入出力端子ＲＤおよびＳＤはそれぞれ処理装置２３のデータ入出力端子ＲＤおよびＳＤと接続されている。通信装置２４のデータ入出力端子ＲＤおよびＳＤはそれぞれ処理装置２３のデータ入出力端子ＲＤおよびＳＤと接続されている。電池２５は、一つであっても複数であってもよく、一次電池であっても二次電池であってもよく、管理タグ２０の用途等によって必要に応じて選ばれる。管理タグ２０の軽量性を重視する用途では、電池２５として例えば単三電池３本または４本が用いられ、管理タグ２０が低消費電力であることによりこの場合でも長期間に亘って管理タグ２０を使用し続けることができる。
【００２１】
［遠隔管理システムの動作方法］
遠隔管理を行う一つまたは複数の被管理対象物１０に管理タグ２０を装着する。例えば、被管理対象物１０が牛等の家畜である場合には、その首にはめる首輪等に管理タグ２０を取り付ける。管理タグ２０の装着方法は特に限定されないが、例えば、家畜の首にはめた時の首輪の上部あるいは下部にバンド等により管理タグ２０を固定する。被管理対象物１０が物品である場合には、その物品に直接、あるいはこの物品を梱包した包装箱に管理タグ２０を取り付ける。あるいは、物品を梱包した包装箱内に管理タグ２０を入れるだけでもよい。
【００２２】
スイッチ２８を閉じて管理タグ２０（本体）の電源をオンとする。それによって、処理装置２３がオンとなり、遠隔管理システムの動作が開始する。具体的には、処理装置２３のＣＴＲ端子から送出される制御信号により、ＧＰＳ受信機２２および通信装置２４の電源のオン／オフを制御する。
【００２３】
ＧＰＳ受信機２２、処理装置２３および通信装置２４の電源のオン／オフのタイミングを図３に示す。図３に示すように、時刻ｔ1 に電源をオンとする。時刻ｔ1 から１０ミリ秒以内、好適には例えば５ミリ秒以内の時刻ｔ2 にＧＰＳ受信機２２をオンとして計測を開始する。計測を開始するとＧＰＳ信号が取得される。取得されたＧＰＳ信号は処理装置２３に送られ、被管理対象物１０の位置データが求められる。ＧＰＳ信号より最初の位置データを取得した直後の時刻ｔ3 にＧＰＳ受信機２２をオフとする。時刻ｔ3 に通信装置２４をオンとして処理装置２３により取得された位置データを通信装置２４から送信する。時刻ｔ3 から５秒以内の時刻ｔ5 に通信装置２４をオフとする。時刻ｔ5 から１０ミリ秒以内、好適には例えば５ミリ秒以内の時刻ｔ6 にスリープ状態としてこのスリープ状態を時刻ｔ7 まで１秒以上、好適には１分以上継続する。そして、時刻ｔ1 から時刻ｔ6 までの時間を１０分以内、好適には５分以内、より好適には１分以内とし、時刻ｔ1 から時刻ｔ7 までの動作を繰り返し行う。これらの動作は、処理装置２３に組み込まれた所定のプログラムに従って実行される。
【００２４】
上述のようにして通信装置２４から送信された被管理対象物１０の位置データは中継機４０に送信され、この中継機４０から管理センター５０の画像表示装置に送信される。被管理対象物１０の位置データは複数の中継機４０を経由することもあるし、中継機４０から更に、インターネット等の電気通信回線（無線または有線）を経由することもある。あるいは、被管理対象物１０の位置データは、通信装置２４から直接、管理センター５０の画像表示装置に送信されるようにしてもよい。こうして管理センター５０の画像表示装置に受信された位置データは、この画像表示装置の画面に表示された管理エリアの画像上に表示される。必要に応じて、特定の被管理対象物１０に注目し、管理エリア内におけるこの被管理対象物１０の移動軌跡を調べることができる。好適には、地図上に被管理対象物１０の位置を示す。
【００２５】
図４は、牧場において、１００頭の牛の首輪に上記の管理タグを取り付けて放牧を行う場合に、この遠隔管理システムにより牛の位置データ（経度、緯度）を取得する例を示す。図４中、＋印が個々の牛の位置を示す。図５は、１００頭の牛から選んだ１頭の牛の移動軌跡を１日のある時間内に追跡する場合の例を示す。好適には、地図上に牛の位置を示す。
【００２６】
〈実施例〉
基板２１としての７６ｍｍ×５０ｍｍ程度の大きさの長方形のプリント基板上に、ＧＰＳ受信機２２として市販のＧＰＳ受信機（ＧＰＳ−１２５Ａ−０７７相当品）、処理装置２３としてオープンソースハードウェアのＡｒｄｕｉｎｏ  Ｐｒｏ  Ｍｉｎｉ  ３．３Ｖ（消費電流約２５ｍＡ）、通信装置２４として市販の工事設計認証取得済み９２０ＭＨｚ帯ＬｏＲａモジュールＥＳ９２０ＬＲ（消費電流約４０ｍＡ）、電源レギュレータ２６、２７として市販の出力電圧３．３ＶのレギュレータＮＪＭ２８８４Ｕ１−３３、電池２５として市販の公称電圧１．５Ｖの単三電池３本を直列に接続した出力電圧４．５Ｖのものを搭載したものを管理タグ２０として用いた。この出力電圧４．５ＶをＮＪＭ２８８４Ｕ１−３３により３．３Ｖに降圧した。電池容量は約２０００ｍＡｈと考えられる。この管理タグの重量は、プラスチック製の保護カバーを含めて約１１０ｇであり、牛の首輪に取り付けても重量増加は少ないため、首輪を牛の首にはめても牛に負担は生じないと考えられる。図３に示す電源タイムチャートにおいて、時刻ｔ1 でコールドスタートの状態で電源をオンとした。ｔ1 からｔ2 までの時間は数マイクロ秒、ｔ2 からｔ3 までの時間は１〜５０秒、時刻ｔ3 で計測を終了し、通信装置２３をオンとした。時刻ｔ3 から１ミリ秒後に通信を開始し、送信できた場合もできなかった場合も通信開始後１秒以内に通信を終了し、時刻ｔ3 から数ミリ秒後の時刻ｔ5 に通信装置２４をオフとした。その後、時刻ｔ5 から１マイクロ秒後の時刻ｔ6 から管理タグはスリープ状態となる。時刻ｔ7 で電源を再度オンとした。加速試験を行うために、ｔ1 からｔ7 までの時間を約３０〜９０秒（平均１分程度）とし、ｔ1 からｔ7 までの処理を繰り返し行った。
【００２７】
この遠隔管理システムにより実際に位置データを取得した。具体的には、本発明者の自宅の３階のベランダに中継機を設置し、上記の管理タグ２０を体に装着した本発明者が自宅から近くの複数施設（建屋）を有する広い公園内を自由に歩きまわり、時には自宅から１ｋｍ以上離れ、再び自宅に戻るまで、位置データを取得した。その結果、本発明者の歩行に伴う位置データの変化を逐次得ることができ、移動軌跡を正確に求めることができた。
【００２８】
この遠隔管理システムの牧場主や酪農家等のユーザの間では数時間に１回程度の頻度で位置データを取得することができれば十分に実用的であると考えられていることから、上記の加速度試験の結果より、電池が切れて管理タグ２０を使用することができなくなるまでの期間を１時間に１回、位置データを取得・送信したとして計算すると約２００日となる。管理タグ２０を装着して管理を行い始めてから、途中で電池交換を行うことなく、単三電池３本で約２００日間もの長期間にわたって管理タグ２０を使用することができることは、従来の管理タグでは精々、１ヶ月以内の期間しか使用することができないことを考えると、極めて驚くべきことである。
【００２９】
この一実施の形態による遠隔管理システムによれば、次のような種々の利点を得ることができる。すなわち、遠隔管理を行う被管理対象物１０に管理タグ２０を装着するだけで管理エリア内の位置データを実用的な範囲でニアタイムで取得することができる。このため、被管理対象物１０の位置や動き等を十分に実用的な範囲で把握することができ、被管理対象物１０を良好に管理することができる。また、管理タグ２０の消費電力の大幅な低減を図ることができるため、電池２５として容量が小さいものを用いても長期間に亘って管理タグ２０を使用し続けることができ、電池２５の交換頻度の大幅な低減を図ることができる。また、電池２５として容量が小さいものを用いることができるので、電池２５の軽量化を図ることができ、ひいては管理タグ２０の軽量化を図ることができる。このため、例えば牛等の家畜の首輪に管理タグ２０を取り付けても、首輪の重量増加が少ないため、家畜に生じる負担は殆どなく、無用のストレスを与えるおそれがない。また、被管理対象物１０がコンテナ等であれば、例えば１日１回、位置データを取得・送信するだけでも十分に実用的なケースもあり、より長期間、電池２５の交換の手間を省くことができるため、ランニングコスト、取り分け人件費の削減に寄与することが可能となる。
【００３０】
以上、この発明の一実施の形態および実施例について具体的に説明したが、この発明は、上述の実施の形態および実施例に限定されるものではなく、この発明の技術的思想に基づく各種の変形が可能である。
【００３１】
例えば、上述の一実施の形態および実施例において挙げた数値、構成、構造、形状等はあくまでも例に過ぎず、必要に応じてこれらと異なる数値、構成、構造、形状等を用いてもよい。
【００３２】
また、上述の一実施の形態においては、スイッチ２８により電源のオン／オフを行うことができるように構成されているが、スイッチ２８を省略し、電池２５と処理装置２３、通信装置２４および電源レギュレータ２６、２７とが常時接続されるようにしてもよい。
【符号の説明】
【００３３】
１０…被管理対象物、２０…管理タグ、２１…基板、２２…ＧＰＳ受信機、２３…処理装置、２４…通信装置、２５…電池、２６、２７…電源レギュレータ、２８…スイッチ、３０…ＧＰＳ衛星、４０…中継機、５０…管理センター
【図１】
2020020798.tif 000003
【図２】
2020020798.tif 000004
【図３】
2020020798.tif 000005
【図４】
2020020798.tif 000006
【図５】
2020020798.tif 000007